(57)【要約】      （修正有）【課題】軽く楽に挿入棒を土壌に挿入することができ、また製品全体の構造が簡易である移植機を提供する。【解決手段】移植機は、柄１と、柄１の下部に設けられた取苗アセンブリとを含む。取苗アセンブリは、複数の挿入棒２と、押土板３とを含む。複数の挿入棒２の上部はいずれも柄１の下部に固定され、複数の挿入棒２に囲まれた空間は取苗空間である。押土板３は、取苗空間内に移動可能に設けられている。【選択図】図２
0003227360.tif 000002
【実用新案登録請求の範囲】
【請求項１】
下部に取苗アセンブリが設けられた柄（１）を含む移植機であって、
前記取苗アセンブリは、
複数の挿入棒（２）であって、その上部がいずれも前記柄（１）の下部に固定され、前記複数の挿入棒（２）に囲まれた空間は取苗空間である、複数の挿入棒（２）と、
前記取苗空間内に移動可能に設けられた押土板（３）と、
を含むことを特徴とする移植機。
【請求項２】
前記柄（１）の下部には、スリーブ（４）が固定されており、
前記複数の挿入棒（２）は、前記スリーブ（４）に固定連結されている、あるいは、直接前記スリーブ（４）と一体成型されていることを特徴とする、
請求項１に記載の移植機。
【請求項３】
前記挿入棒（２）は、３本設けられていることを特徴とする、
請求項２に記載の移植機。
【請求項４】
前記柄（１）は中空の棒であり、
前記押土板（３）の上部には、前記柄（１）の内部に移動可能に設けられた押土棒（５）が連結されていることを特徴とする、
請求項１から３のいずれか１項に記載の移植機。
【請求項５】
前記押土棒（５）には、駆動棒（６）が固定連結されており、
前記柄（１）の壁には、長手方向に沿って設けられたスロット（１１）が形成されており、
前記駆動棒（６）は前記スロット（１１）を貫通し、前記スロット（１１）に沿って上下に移動することができることを特徴とする、
請求項４に記載の移植機。
【請求項６】
前記柄（１）の外側には、前記駆動棒（６）と固定連結された押土グリップ（７）が移動可能に嵌合していることを特徴とする、
請求項５に記載の移植機。
【請求項７】
前記スロット（１１）は、前記柄（１）の壁の両側に対称に形成されており、
前記駆動棒（６）はボルトであって、前記駆動棒（６）は、前記押土棒（５）を横方向に貫通して前記押土棒（５）と固定連結されており、前記駆動棒（６）の両側の自由端はそれぞれ、前記柄（１）の両側の前記スロット（１１）を貫通して、前記押土グリップ（７）と固定連結されていることを特徴とする、
請求項６に記載の移植機。
【請求項８】
前記押土棒（５）の最上部の外側には、バネ（９）が嵌合しており、
前記バネ（９）の外側には、前記バネの両端を位置制限するための固定カバー（１０）が前記柄（１）の内部に固定されて設けられていることを特徴とする、
請求項６に記載の移植機。
【請求項９】
前記押土グリップ（７）は、前記柄（１）の中央部または中央上部に設けられており、
前記柄（１）の最上部には、三角形の持ち手（８）が設けられていることを特徴とする、
請求項６から８のいずれか１項に記載の移植機。
【請求項１０】
前記挿入棒（２）は、底部が尖った金属製の挿入針であることを特徴とする、
請求項１に記載の移植機。
【考案の詳細な説明】
【技術分野】
【０００１】
本考案は移植機に関する。
【背景技術】
【０００２】
農作物、観賞用植物、果樹などの植物は、苗の時期に、植え付けのためにしばしば苗の移し替えや植え足しを行う必要がある。中国実用新案登録第２０１４２０４７８９７８.４号に開示されている果樹用移植機は、取苗管と、取苗管の両側に取り付けられた連結ロッドと、連結ロッドに滑合する押土装置とを含む。取苗管は全体として、中空の管状の構造であり、その上端付近にペダルリングが固定されている。押土装置は、連結ロッドに遊合、滑合する押土ペダルを含む。この押土ペダルの底部には、押土リング連結ロッドが溶接されている。この押土リング連結ロッドは、２本の連結ロッドの間に位置し、その下端と押土リングとが溶接により連結されている。押土リングは、取苗管に遊合、滑合されている。連結ロッドの上端には、持ち手が溶接されている。操作の際、まず、取苗管を苗木の周囲に垂直に挿入してペダルリングを踏み、取苗管全体が苗木の周囲の土壌に垂直に挿入されるようにする。挿入している過程で、連結ロッドに嵌合した押土ペダルが、押土リングに押されて次第に上に移動する。取苗管全体が土壌に完全に入り込むまで挿入すればよい。その後、持ち手を揺らして、取苗管の底層の土壌に割れ目を生じさせ、取苗管全体を垂直に取り出す。最後に足で押土ペダルを踏むと、押土リング連結ロッドと押土リングとに押されて、苗木と苗木に付いた土が取苗管から出てくる。こうして、苗木の根元周囲の土壌を荒らすことなく移植することができ、苗木の活着率を高めることができる。しかし、この構造には、以下の欠点がある。取苗管が全体として中空の管状の構造であるため、全体的に少しかさばって重く、取苗管を土壌に差し込む時に、やや大きな力を加える必要がある。特に、土壌の硬度が比較的固い場合は、土壌に挿入するのが難しい。
【考案の概要】
【考案が解決しようとする課題】
【０００３】
本考案が解決しようとする技術的課題は、上述の既存技術に鑑み、構造が簡易で、軽く楽に土壌に挿入することができる移植機を提供することにある。
【課題を解決するための手段】
【０００４】
本考案が、上述の技術的課題を解決するために採用した技術的手段は、下部に取苗アセンブリが設けられた柄を含む移植機であって、
取苗アセンブリは、
複数の挿入棒であって、その上部がいずれも柄の下部に固定され、複数の挿入棒に囲まれた空間は取苗空間である、複数の挿入棒と、
取苗空間内に移動可能に設けられた押土板と、
を含むことを特徴とする移植機である。
【０００５】
改良として、柄の下部には、スリーブが固定されており、複数の挿入棒は、スリーブに固定連結されている、あるいは、直接スリーブと一体成型されている。これにより、挿入棒が摩耗または破損して交換する必要がある時に、柄を交換する必要がなく、直接挿入棒を交換する、あるいは挿入棒と一体成型されたスリーブを交換するだけでよく、修理コストを効果的に低減することができる。
【０００６】
好ましくは、挿入棒は３本設けられている。
【０００７】
挿入棒は、底部が尖った金属製の挿入針であるので、より楽に、かつ簡単に土壌に挿入することができる。
【０００８】
さらなる改良として、柄は中空の棒であり、押土板の上部には、柄の内部に移動可能に設けられた押土棒が連結されている。このような設計により、製品全体の構造がさらにコンパクトになる。
【０００９】
さらなる改良として、押土棒には、駆動棒が固定連結されており、柄の壁には、長手方向に沿って設けられたスロットが形成されている。駆動棒はスロットを貫通し、スロットに沿って上下に移動することができる。駆動棒に力を加えることにより、駆動棒がスロットに沿って下方に移動し、押土棒が駆動棒に動かされて、取苗空間内を下へ移動し、土と植物を一緒に取苗空間から押し出すことができる。
【００１０】
使用者が操作しやすいように、また、使用者が力を加える時に握り心地が良いように、柄の外側には、押土グリップが移動可能に嵌合しており、駆動棒と押土グリップとは固定連結されている。
【００１１】
さらなる改良として、スロットは、柄の壁の両側に対称に形成されており、駆動棒はボルトであって、駆動棒は、押土棒を横方向に貫通して、押土棒と固定連結されており、駆動棒の両側の自由端はそれぞれ、柄の両側のスロットを貫通して、押土グリップと固定連結されている。
【００１２】
さらなる改良として、押土棒の最上部の外側には、バネが嵌合しており、バネの外側には、バネの両端を位置制限するための固定カバーが、柄の内部に固定されて設けられている。
【００１３】
柄の最上部には、三角形の持ち手が設けられている。押土グリップは、柄の中央部または中央上部に設けられている。
【考案の効果】
【００１４】
既存の技術と比べた本考案の特長は、柄の下部に複数の挿入棒が設けられ、その複数の挿入棒によって囲まれた空間が取苗空間を形成し、その取苗空間に押土板が移動可能に設けられていることにより、挿入棒を軽く楽に土壌に差し込むことができ、また製品全体の構造が簡易である点である。
【図面の簡単な説明】
【００１５】
【図１】本考案の実施例にかかる移植機の斜視構造模式図である。
【図２】本考案の実施例にかかる移植機の斜視分解図である。
【図３】本考案の実施例にかかる移植機の断面図である。
【考案を実施するための形態】
【００１６】
以下、図面と実施例を結び付けながら、本考案についてさらに詳しく説明する。
【００１７】
図１〜３に示す移植機は、柄１を含む。柄１は、中空の棒であり、柄１の下部には、取苗アセンブリが設けられている。この取苗アセンブリは、スリーブ４と、３本の挿入棒２と、押土板３と、押土棒５と、駆動棒６と、スロット１１と、押土グリップ７と、を含む。
【００１８】
スリーブ４は、柄１の下部の外側に固定されて嵌合し、３本の挿入棒２は、スリーブ４の下部に固定連結されている。この挿入棒２は、スリーブ４と一体に成型されていてもよい。３本の挿入棒２に囲まれた空間は、取苗空間である。挿入棒２は、底部が尖った金属製の挿入針である。
【００１９】
押土板３は、取苗空間内に移動可能に設けられている。押土棒５は、押土板３の上部に連結され、スリーブ４を貫通して、柄１の内部に移動可能に設けられている。駆動棒６は、押土棒５に固定連結されている。駆動棒６は、ボルトであり、駆動棒６は、押土棒５を横方向に貫通して、押土棒５に固定連結される。スロット１１は、長手方向に沿って設けられ、柄１の壁の両側に対称に形成されている。駆動棒６の両側の自由端は、それぞれ柄１の両側のスロット１１を貫通して、スロット１１に沿って上下に移動することができる。押土グリップ７は、柄１の外側に移動可能に嵌合しており、駆動棒６の両端と固定連結されている。押土グリップ７は、柄１の中央部または中央上部に設けられている。柄１の最上部には、三角形の持ち手８が設けられている。押土棒５の最上部の外側には、バネ９が嵌合する。バネ９の外側には、バネの両端を位置制限するための固定カバー１０が取り付けられており、固定カバー１０は、ボルトによって柄１内の上部に固定されている。
【００２０】
使用時には、柄１を握って、３本の挿入棒を一斉に移植する苗木の周囲の土壌に垂直に挿入し、移植する苗木を３本の挿入棒の中央に位置させる。そして、柄１に回転力を加えて、移植する苗木のひげ根と周囲の土とを分離させた後、移植機を取り出す。そして、片方の手で三角形の持ち手８を握って、もう片方の手で押土グリップ７を握り、押土グリップ７を下に移動させる。この時、押土グリップ７により駆動棒６が動かされて、柄１のスロット内を下へ移動する。また、駆動棒６により、押土棒５と押土板３が動かされて、同時に下へ移動する。この時、バネ９は伸長し、押土板３の押圧力によって、苗木を含む土全体が取苗空間から押し出され、簡単に落下する。使い終わった後は、バネ９の復元力によって、押土棒５と押土板３とが元の位置に戻り、押土グリップ７も同時に上へと移動し、元の位置に戻る。
【先行技術文献】
【特許文献】
【００２１】
【特許文献１】中国実用新案登録第２０１４２０４７８９７８.４号
【図１】
0003227360.tif 000003
【図２】
0003227360.tif 000004
【図３】
0003227360.tif 000005